(57)【特許請求の範囲】
【請求項１】
圧縮機と、室外熱交換器と、膨張弁と、室内熱交換器とを接続した冷媒回路を備え、前記室内熱交換器の一部を蒸発域とする除湿運転を行う空気調和機において、
前記室内熱交換器が、最風上側に配置された補助熱交換器と、前記補助熱交換器の下流側に配置された主熱交換器とを有し、
前記主熱交換器が、室内機内の前面側に配置された前面熱交換器と、室内機内の背面側に配置された背面熱交換器とを有し、
前記補助熱交換器が、前記前面熱交換器と略同一の大きさであって、かつ、前記前面熱交換器の前方に配置されており、
前記補助熱交換器は、前記除湿運転時において、前記膨張弁から流出した液冷媒が供給されて前記蒸発域の少なくとも一部を構成し、
前記除湿運転時において、前記補助熱交換器が蒸発域と過熱域とを有するとともに、負荷に応じて蒸発域の範囲が変化するように前記圧縮機及び前記膨張弁が制御されることを特徴とする空気調和機。
【請求項２】
前記補助熱交換器における液入口が下方にあることを特徴とする請求項１に記載の空気調和機。
【請求項３】
前記補助熱交換器の前記液入口に供給された冷媒が、前記補助熱交換器の上端に近付くように前記補助熱交換器を流れることを特徴とする請求項２に記載の空気調和機。
【請求項４】
前記背面熱交換器の後方に配置され、前記前面熱交換器の前方の補助熱交換器を流れた冷媒が供給される別の補助熱交換器を備えることを特徴とする請求項１−３のいずれかに記載の空気調和機。
【発明の詳細な説明】
【技術分野】
【０００１】
本発明は、除湿運転を行うことができる空気調和機に関するものである。
【背景技術】
【０００２】
従来の空気調和機には、主熱交換器の背面側に補助熱交換器を配置して、補助熱交換器だけで冷媒を蒸発させて局所的に除湿を行うことで、低負荷時（圧縮機の回転数が低いとき）、例えば、室温と設定温度との差が十分に小さく必要な冷却能力が小さいときでも除湿ができるようにした空気調和機がある。この空気調和機では、蒸発域を補助熱交換器に限定し、温度センサをその蒸発域の下流側に配置し、一定の過熱度となるように制御していた。
【先行技術文献】
【特許文献】
【０００３】
【特許文献１】特開平９−１４７２７
【発明の概要】
【発明が解決しようとする課題】
【０００４】
しかし、主熱交換器の背面側に配置された補助熱交換器が小さいことから、暖房運転時に、十分なサブクールを付けることができないため、能力が出ず、運転効率の悪いという問題がある。
【０００５】
そこで、本発明の目的は、熱交換器の一部だけを蒸発域とした除湿運転ができると共に、暖房運転時に、十分なサブクールを付けることができる空気調和機を提供することである。
【課題を解決するための手段】
【０００６】
第１の発明にかかる空気調和機は、圧縮機と、室外熱交換器と、膨張弁と、室内熱交換器とを接続した冷媒回路を備え、前記室内熱交換器の一部を蒸発域とする除湿運転を行う空気調和機において、前記室内熱交換器が、最風上側に配置された補助熱交換器と、前記補助熱交換器の下流側に配置された主熱交換器とを有し、前記主熱交換器が、室内機内の前面側に配置された前面熱交換器と、室内機内の背面側に配置された背面熱交換器とを有し、前記補助熱交換器が、前記前面熱交換器と略同一の大きさであって、かつ、前記前面熱交換器の前方に配置されており、前記補助熱交換器は、前記除湿運転時において、前記膨張弁から流出した液冷媒が供給されて前記蒸発域の少なくとも一部を構成し、前記除湿運転時において、前記補助熱交換器が蒸発域と過熱域とを有するとともに、負荷に応じて蒸発域の範囲が変化するように前記圧縮機及び前記膨張弁が制御されることを特徴とする。
【０００７】
この空気調和機では、補助熱交換器の面積を大きくできるので、補助熱交換器の蒸発域の範囲を大きくできる。したがって、広い負荷範囲で高効率の除湿運転ができる。
【０００８】
また、この空気調和機では、暖房運転時に、熱交換器の出口側に大きい補助熱交換器が配置されるので、熱交出口の冷媒過冷却を取ることができ、効率の良い運転ができる。
【０００９】
第２の発明にかかる空気調和機では、第１の発明にかかる空気調和機において、前記補助熱交換器における液入口が下方にあることを特徴とする。
【００１０】
この空気調和機では、液冷媒が補助熱交換器の下方から供給されるので、補助熱交換器を通過する空気のうち下方の空気だけが冷やされる。これにより、吹き出した風は、上方が冷たく、下方が温かくなるため、冷気が下に垂れづらく、不快感が少ない。
【００１１】
第３の発明にかかる空気調和機では、第２の発明にかかる空気調和機において、前記補助熱交換器の前記液入口に供給された冷媒が、前記補助熱交換器の上端に近付くように前記補助熱交換器を流れることを特徴とする。
【００１２】
この空気調和機では、補助熱交換器の液入口付近だけを冷やしている場合でも、除湿された水がドレンパンに流下する途中で、再蒸発しづらいので、除湿効率が良い。
【００１３】
第４の発明にかかる空気調和機は、第１−第３のいずれかの発明にかかる空気調和機において、前記背面熱交換器の後方に配置され、前記前面熱交換器の前方の補助熱交換器を流れた冷媒が供給される別の補助熱交換器を備えることを特徴とする。
【００１４】
この空気調和機では、補助熱交換器の面積をさらに大きくできる。
【発明の効果】
【００１５】
以上の説明に述べたように、本発明によれば、以下の効果が得られる。
【００１６】
第１の発明では、補助熱交換器の面積を大きくできるので、補助熱交換器の蒸発域の範囲を大きくできる。したがって、広い負荷範囲で高効率の除湿運転ができる。また、暖房運転時には、熱交換器の出口側に大きい補助熱交換器が配置されるので、熱交出口の冷媒過冷却を取ることができ、効率の良い運転ができる。
【００１７】
第２の発明では、液冷媒が補助熱交換器の下方から供給されるので、補助熱交換器を通過する空気のうち下方の空気だけが冷やされる。これにより、吹き出した風は、上方が冷たく、下方が温かくなるため、冷気が下に垂れづらく、不快感が少ない。
【００１８】
第３の発明では、補助熱交換器の液入口付近だけを冷やしている場合でも、除湿された水がドレンパンに流下する途中で、再蒸発しづらいので、除湿効率が良い。
【００１９】
第４の発明では、補助熱交換器の面積をさらに大きくできる。
【図面の簡単な説明】
【００２０】
【図１】本発明の実施形態に係る空気調和機の冷媒回路を示す回路図である。
【図２】本発明の実施形態に係る空気調和機の室内機の概略断面図である。
【図３】室内熱交換器の構成を説明する図である。
【図４】本発明の実施形態に係る空気調和機の制御部を説明する図である。
【図５】膨張弁において開度を変化したときの流量変化の一例を示している。
【図６】本発明の第２実施形態に係る空気調和機の室内熱交換器の構成を説明する図である。
【図７】本発明の第３実施形態に係る空気調和機の室内熱交換器の構成を説明する図である。
【発明を実施するための形態】
【００２１】
以下、本発明に係る空気調和機１の実施の形態について説明する。
【００２２】
＜空気調和機１の全体構成＞
図１に示すように、本実施形態の空気調和機１は、室内に設置される室内機２と、室外に設置される室外機３とを備えている。そして、空気調和機１は、圧縮機１０と、四方弁１１、室外熱交換器１２と、膨張弁１３と、室内熱交換器１４とを接続した冷媒回路を備えている。冷媒回路において、圧縮機１０の吐出口に四方弁１１を介して室外熱交換器１２が接続され、その室外熱交換器１２に膨張弁１３が接続される。そして、膨張弁１３に室内熱交換器１４の一端が接続され、その室内熱交換器１４の他端に四方弁１１を介して圧縮機１０の吸込口が接続される。室内熱交換器１４は、補助熱交換器２０と、主熱交換器２１とを有している。
【００２３】
空気調和機１は、冷房運転モード、所定の除湿運転モードおよび暖房運転モードにおける運転が可能であって、リモコンによって、いずれかの運転を選択して運転開始操作を行ったり、運転切換操作や運転停止操作を行うことができる。また、リモコンでは、室内温度の設定温度を設定したり、室内ファンの回転数を変化させることによって室内機２の風量を変更できる。
【００２４】
冷房運転モードおよび所定の除湿運転モードでは、図示実線矢印で示すように、圧縮機１０から吐出された冷媒が四方弁１１から室外熱交換器１２、膨張弁１３、補助熱交換器２０、主熱交換器２１へと順に流れ、主熱交換器２１を経た冷媒が四方弁１１を通って圧縮機１０に戻る冷房サイクルまたは除湿サイクルが形成される。すなわち、室外熱交換器１２が凝縮器、室内熱交換器１４（補助熱交換器２０および主熱交換器２１）が蒸発器として機能する。
【００２５】
一方、暖房運転モードでは、四方弁１１が切換わることにより、図示破線矢印で示すように、圧縮機１０から吐出される冷媒が四方弁１１から主熱交換器２１、補助熱交換器２０、膨張弁１３、室外熱交換器１２へと順に流れ、室外熱交換器１２を経た冷媒が四方弁１１を通って圧縮機１０に戻る暖房サイクルが形成される。すなわち、室内熱交換器１４（補助熱交換器２０および主熱交換器２１）が凝縮器、室外熱交換器１２が蒸発器として機能する。
【００２６】
室内機２は、上面に室内空気の吸込口２ａを有し、前面下部に空調用空気の吹出口２ｂとを有している。室内機２内には、吸込口２ａから吹出口２ｂに向かって空気流路が形成され、この空気流路には、室内熱交換器１４と、横流型の室内ファン１６が配置される。したがって、室内ファン１６が回転すると、室内空気が吸込口２ａから室内ユニット１内に吸込まれる。室内機２の前側において、吸込口２ａからの吸込み空気は、補助熱交換器２０と主熱交換器２１を通って室内ファン１６側に流れる。一方、室内機２の背面側において、吸込口２ａからの吸込み空気は、主熱交換器２１を通って室内ファン１６側に流れる。
【００２７】
室内熱交換器１４は、上述したように、補助熱交換器２０と、冷房運転モードおよび所定の除湿運転モードで運転されているときに、補助熱交換器２０の下流側に配置された主熱交換器２１を有している。主熱交換器２１は、室内機２の前面側に配置された前面熱交換器２１ａと、室内機２の背面側に配置された背面熱交換器２１ｂとを有しており、この熱交換器２１ａ、２１ｂが、室内ファン１６を囲むように逆Ｖ字状に配置される。そして、補助熱交換器２０が前面熱交換器２１ａの前方に配置される。補助熱交換器２０および主熱交換器２１（前面熱交換器２１ａ、背面熱交換器２１ｂ）は、それぞれ、熱交換パイプおよび多数枚のフィンを備えている。
【００２８】
冷房運転モードおよび所定の除湿運転モードでは、図３に示すように、補助熱交換器２０の下方の端部近くに配置された液入口１７ａから液冷媒が供給され、その供給された液冷媒は、補助熱交換器２０の上端に近付くように流れる。そして、補助熱交換器２０の上端近くに配置された出口１７ｂから流れ出て分岐部１８ａに流れる。分岐部１８ａにおいて分岐された冷媒が、それぞれ、主熱交換器２１の３つの入口１７ｃから、前面熱交換器２１ａの下方部分と上方部分と背面熱交換器２１ｂに供給され、その後、出口１７ｄから流れ出て合流部１８ｂで合流する。また、暖房運転モードでは、冷媒が上記と反対方向に流れる。
【００２９】
そして、空気調和機１では、所定の除湿運転モードでの運転が行われているとき、補助熱交換器２０の液入口１７ａから供給された液冷媒は、補助熱交換器２０の途中で全て蒸発する。したがって、補助熱交換器２０の液入口１７ａ近くの一部の範囲だけが、液冷媒が蒸発する蒸発域である。よって、所定の除湿運転モードで運転されているとき、室内熱交換器１４において、補助熱交換器２０の上流側の一部だけが蒸発域であって、補助熱交換器２０の蒸発域の下流側の範囲と主熱交換器２１とは、いずれも過熱域である。
【００３０】
そして、補助熱交換器２０の上端近くの過熱域を流れた冷媒が、補助熱交換器２０の下方部分の風下側に配置された前面熱交換器２１ａの下方部分を流れる。したがって、吸込口２ａからの吸込空気において、補助熱交換器２０の蒸発域で冷却された空気は、前面熱交換器２１ａで加熱された後で、吹出口２ｂから吹き出される。一方、吸込口２ａからの吸込空気において、補助熱交換器２０の過熱域と前面熱交換器２１ａを流れた空気と、背面熱交換器２１ｂを流れた空気とは、室内温度と略同一の温度で、吹出口２ｂから吹き出される。
【００３１】
空気調和機１では、図１に示すように、室外機３に、冷媒回路において膨張弁１３の下流側において蒸発温度を検知する蒸発温度センサ３０が取り付けられる。そして、室内機２に、室内温度（室内機２の吸込口２ａからの吸込空気の温度）を検知する室内温度センサ３１と、補助熱交換器２０において液冷媒の蒸発が終了したことを検知する室内熱交温度センサ３２が取付けられる。
【００３２】
室内熱交温度センサ３２は、図３に示すように、補助熱交換器２０の上端近くの風下側に配置される。そして、補助熱交換器２０の上端近くの過熱域では、吸込口２ａからの吸込空気がほとんど冷却されない。したがって、室内熱交温度センサ３２で検知される温度が、室内温度センサ３１で検知される室内温度と略同一である場合には、補助熱交換器２０の途中で蒸発が終了して、補助熱交換器２０の上端近くの範囲が過熱域であることを検知できる。また、室内熱交温度センサ３２は、室内熱交換器１４の中間部の伝熱管に配置される。したがって、室内熱交換器１４の中間部近くにおいて、冷暖房運転での凝縮温度または蒸発温度を検知できる。
【００３３】
図４に示すように、空気調和機１の制御部には、圧縮機１０と、四方弁１１、膨張弁１３と、室内ファン１６を駆動するモータ１６ａと、蒸発温度センサ３０と、室内温度センサ３１と、室内熱交温度センサ３２とが接続される。したがって、制御部は、リモコンからの指令（運転開始操作や室内温度の設定温度等）や、蒸発温度センサ３０で検知される蒸発温度、室内温度センサ３１で検知される室内温度（吸込空気の温度）、室内熱交温度センサ３２で検知される熱交中間温度に基づいて空気調和機１の運転を制御する。
【００３４】
そして、空気調和機１では、所定の除湿運転モードにおいて、補助熱交換器２０が、液冷媒が蒸発する蒸発域と蒸発域の下流側の過熱域を有するが、この蒸発域の範囲が、負荷に応じて変化するように、圧縮機１０及び膨張弁１３が制御される。ここで、負荷に応じて変化するとは、蒸発域に供給される熱量に応じて変化することであって、熱量は例えば室内温度（吸込空気の温度）と室内風量によって決まる。また、負荷は、必要除湿能力（必要冷房能力）に対応しており、例えば室内温度と設定温度との差に基づいて検知できる。
【００３５】
圧縮機１０は、室内温度と設定温度との差に基づいて制御される。室内温度と設定温度との差が大きい場合に負荷が大きいことから圧縮機１０の周波数が増加され、室内温度と設定温度との差が小さい場合に負荷が小さいことから、圧縮機１０の周波数が減少するように制御される。
【００３６】
膨張弁１３は、蒸発温度センサ３０で検知される蒸発温度に基づいて制御される。上述したように、圧縮機１０の周波数が制御された状態において、蒸発温度が目標蒸発温度（１２℃）近くの所定範囲（１０℃−１４℃）内の温度になるように、膨張弁１３が制御される。この蒸発温度の所定範囲は、圧縮機１０の周波数によらず一定に制御されるのが好ましい。ただし、周波数によって、わずかに変化するようにしても実質的に一定であれば問題ない。
【００３７】
このように、所定の除湿運転モードにおいて、負荷に応じて圧縮機１０及び膨張弁１３を制御することによって、補助熱交換器２０の蒸発域の範囲を変化して、蒸発温度が所定範囲内の温度になるようにできる。
【００３８】
空気調和機１では、補助熱交換器２０及び前面熱交換器２１ａが、１２段の伝熱管をそれぞれ有している。そして、所定の除湿運転モードにおいて補助熱交換器２０の蒸発域となる段数が、前面熱交換器２１ａの段数の半分以上である場合、補助熱交換器の蒸発域の範囲を十分に広くできるので負荷の変動に十分に対応できる。特に負荷が大きい場合に効果がある。
【００３９】
図５は、膨張弁１３において開度を変化したときの流量変化を示している。膨張弁１３は、入力される駆動パルスの数に応じて開度が連続的に変化する。そして、開度が減少するにつれて、膨張弁１３を流れる冷媒の流量が減少する。膨張弁１３では、開度ｔ０のときに全閉状態であって、開度ｔ０からｔ１の間では、開度が増加するにつれて流量が第１の傾きにしたがって増加し、開度ｔ１からｔ２の間では、開度が増加するにつれて流量が第２の傾きにしたがって増加する。ここで、第１の傾きは、第２の傾きより大きい。
【００４０】
補助熱交換器２０の蒸発域の範囲が変化するように行われる制御について、一例を説明する。例えば、所定の除湿運転モードにおいて、補助熱交換器２０の蒸発域の範囲が所定面積であるときに負荷が大きくなった場合、圧縮機１０の周波数が増加されると共に、膨張弁１３の開度が大きく変更される。したがって、補助熱交換器２０の蒸発域の範囲が所定面積より大きくなって、室内機２に吸い込まれた風量が一定であっても、実際に蒸発域を通過する風量が増加する。
【００４１】
一方、所定の除湿運転モードにおいて、補助熱交換器２０の蒸発域の範囲が所定面積であるときに負荷が小さくなった場合、圧縮機１０の周波数が減少されると共に、膨張弁１３の開度が小さく変更される。したがって、補助熱交換器２０の蒸発域の範囲が所定面積より小さくなって、室内機２に吸い込まれた風量が一定であっても、実際に蒸発域を通過する風量が減少する。
【００４２】
＜本実施形態の空気調和機の特徴＞
本実施形態の空気調和機１では、補助熱交換器２０の面積を大きくできるので、補助熱交換器２０の蒸発域の範囲を大きくできる。したがって、広い負荷範囲で高効率の除湿運転ができる。また、暖房運転時には、室内熱交換器１４の出口側に大きい補助熱交換器２０が配置されるので、熱交出口の冷媒過冷却を取ることができ、効率の良い運転ができる。
【００４３】
また、本実施形態の空気調和機１では、補助熱交換器２０における液入口が下方にあって、液冷媒が補助熱交換器２０の下方から供給されるので、補助熱交換器２０を通過する空気のうち下方の空気だけが冷やされる。これにより、吹き出した風は、上方が冷たく、下方が温かくなるため、冷気が下に垂れづらく、不快感が少ない。
【００４４】
また、本実施形態の空気調和機１では、補助熱交換器２０の液入口１７ａに供給された冷媒が、補助熱交換器２０の上端に近付くように補助熱交換器２０を流れるので、補助熱交換器２０の液入口付近だけを冷やしている場合でも、除湿された水がドレンパンに流下する途中で、再蒸発しづらいので、除湿効率が良い。
【００４５】
本発明の第２及び第３実施形態にかかる空気調和機について説明する。
第２及び第３実施形態の空気調和機が、第１実施形態の空気調和機１と異なる点は、室内熱交換器において、補助熱交換器２０が、前面熱交換器２１ａの前方に配置されるだけでなく、補助熱交換器１２０が、背面熱交換器２１ｂの後方に配置される点である。その他の構成は、第１実施形態にかかる空気調和機１と同一であるので説明は省略する。
【００４６】
本発明の第２実施形態に係る空気調和機の室内熱交換器では、図６に示すように、補助熱交換器２０が、前面熱交換器２１ａの前方に配置されるだけでなく、補助熱交換器１２０が、背面熱交換器２１ｂの後方に配置される。
【００４７】
冷房運転モードおよび所定の除湿運転モードでは、補助熱交換器２０の下方の端部近くに配置された液入口１７ａから液冷媒が供給され、その供給された液冷媒は、補助熱交換器２０の上端に近付くように流れる。そして、補助熱交換器２０の上端近くに配置された出口１７ｂから流れ出て、入口１１７ｃから補助熱交換器１２０に供給される。補助熱交換器１２０を流れた冷媒は、出口１１７ｂから流れ出て分岐部１８ａに流れる。分岐部１８ａにおいて分岐された冷媒が、それぞれ、主熱交換器２１の３つの入口１７ｃから、前面熱交換器２１ａの下方部分と上方部分と背面熱交換器２１ｂに供給され、その後、出口１７ｄから流れ出て合流部１８ｂで合流する。また、暖房運転モードでは、冷媒が上記と反対方向に流れる。
【００４８】
そして、空気調和機では、所定の除湿運転モードでの運転が行われているとき、補助熱交換器２０の液入口１７ａから供給された液冷媒は、補助熱交換器２０の途中で全て蒸発する。したがって、補助熱交換器２０の液入口１７ａ近くの一部の範囲だけが、液冷媒が蒸発する蒸発域である。よって、所定の除湿運転モードで運転されているとき、室内熱交換器において、補助熱交換器２０の上流側の一部だけが蒸発域であって、補助熱交換器２０の蒸発域の下流側の範囲と主熱交換器２１とは、いずれも過熱域である。
【００４９】
＜本実施形態の空気調和機の特徴＞
本実施形態の空気調和機では、第１実施形態の空気調和機と同様の効果が得られる。また、補助熱交換器２０、１２０の面積を大きくできる。
【００５０】
本発明の第３実施形態に係る空気調和機の室内熱交換器では、補助熱交換器２０が、前面熱交換器２１ａの前方に配置されるだけでなく、補助熱交換器１２０が、背面熱交換器２１ｂの後方に配置される。
【００５１】
冷房運転モードおよび所定の除湿運転モードでは、図７に示すように、補助熱交換器２０の下方の端部近くに配置された液入口１７ａから液冷媒が供給され、その供給された液冷媒は、補助熱交換器２０の上端に近付くように流れる。そして、補助熱交換器２０の上端近くに配置された出口１７ｂから流れ出て分岐部１１８ａに流れる。分岐部１１８ａにおいて分岐された冷媒が、それぞれ、補助熱交換器１２０の入口１１７ａから補助熱交換器１２０に供給される。そして、補助熱交換器１２０を流れた冷媒が、出口１１７ｄから流れ出て、２つの入口１７ｃから背面熱交換器２１ｂに供給される。背面熱交換器２１ｂを流れた冷媒が、出口１７ｄから流れ出て、前面熱交換器２１ａの下方部分と上方部分にそれぞれ供給され、その後、出口１７ｄから流れ出て合流部１１８ｂで合流する。また、暖房運転モードでは、冷媒が上記と反対方向に流れる。
【００５２】
そして、空気調和機では、所定の除湿運転モードでの運転が行われているとき、補助熱交換器２０の液入口１７ａから供給された液冷媒は、補助熱交換器２０の途中で全て蒸発する。したがって、補助熱交換器２０の液入口１７ａ近くの一部の範囲だけが、液冷媒が蒸発する蒸発域である。よって、所定の除湿運転モードで運転されているとき、室内熱交換器において、補助熱交換器２０の上流側の一部だけが蒸発域であって、補助熱交換器２０の蒸発域の下流側の範囲と主熱交換器２１とは、いずれも過熱域である。
【００５３】
＜本実施形態の空気調和機の特徴＞
本実施形態の空気調和機では、第１実施形態の空気調和機と同様の効果が得られる。また、補助熱交換器２０、１２０の面積を大きくできる。
【００５４】
以上、本発明の実施形態について図面に基づいて説明したが、具体的な構成は、これらの実施形態に限定されるものでないと考えられるべきである。本発明の範囲は、上記した実施形態の説明ではなく特許請求の範囲によって示され、さらに特許請求の範囲と均等の意味及び範囲内でのすべての変更が含まれる。
【００５５】
上述の実施形態において、室内熱交換器において補助熱交換器が前面熱交換器の前方に配置されるだけでなく背面熱交換器の後方に配置される場合に、前面熱交換器の前方に配置された補助熱交換器が蒸発域及び過熱域を有し、背面熱交換器の後方に配置された補助熱交換器が過熱域を有している場合を説明したが、前面熱交換器の前方に配置された補助熱交換器が蒸発域を有し、背面熱交換器の後方に配置された補助熱交換器が過熱域を有するものでもよい。
【００５６】
上述の実施形態において、補助熱交換器と主熱交換器とが一体に構成されてもよい。したがって、この場合、室内熱交換器が一体に構成され、室内熱交換器の最風上側に、補助熱交換器に対応した部分が設けられ、その風下側に、主熱交換器に対応した部分が設けられる。
【００５７】
また、上述の実施形態では、冷房運転モード、所定の除湿運転モードおよび暖房運転モードでの運転を行う空気調和機について説明したが、所定の除湿運転モードの他の方法で除湿運転を行う除湿運転モードでの運転を行う空気調和機であってもよい。
【産業上の利用可能性】
【００５８】
本発明を利用すれば、熱交換器の一部だけを蒸発域とした除湿運転ができると共に、暖房運転時に、十分なサブクールを付けることができる。
【符号の説明】
【００５９】
１  空気調和機
２  室内機
３  室外機
１０  圧縮機
１２  室外熱交換器
１３  膨張弁
１４  室内熱交換器
１６  室内ファン
２０、１２０  補助熱交換器
２１  主熱交換器
【図１】
0005749210.tif 000002
【図２】
0005749210.tif 000003
【図３】
0005749210.tif 000004
【図４】
0005749210.tif 000005
【図５】
0005749210.tif 000006
【図６】
0005749210.tif 000007
【図７】
0005749210.tif 000008